(57)【要約】【課題】  第一に、サムリング形状の一部を変更可能とすることで、撮影者ごとに適切な形状のサムリングを提供することを可能とし、該ズームデマンドの操作性を向上させることにあり、第二に、該サムリング形状を変更した際に、同時に該ズームデマンドの制御特性が設定可能とすることで、該ズームデマンドの制御特性設定作業による負担の軽減を低コストで行えるようにすることである。【解決手段】  第一の課題に対し、該サムリングの全部あるいは操作時に撮影者の指が接触する部分を含む一部の着脱を可能にし、この着脱可能な部分を交換部とし、該交換部を撮影者の要望に合わせた形状のものに変更し、また、第２の課題に対しては、該サムリング交換部に対応する該ズームデマンドの制御特性を設定できるようにする。【選択図】        図１
2006322980.tif 000002
【特許請求の範囲】
【請求項１】
撮影者によって回転操作されるサムリングを有し、該サムリングの倒れ角を角度検出器により検出してズームスピード制御信号に供するズームデマンド装置において、該サムリングの形状の一部を変更できるようにしたことを特徴としたズームデマンド。
【請求項２】
該サムリング形状の変更は、該サムリングの全部あるいは操作時に撮影者の指が接触する部分を含む一部の着脱を可能にし、着脱容易な部分をサムリング交換部として、任意の形状のものと交換することによって行うことを特徴とした請求項１に記載のズームデマンド。
【請求項３】
該サムリング交換部を該ズームデマンドに装着時に、該サムリング交換部に対応する該ズームデマンドの制御特性を設定できることを特徴とする請求項２に記載のズームデマンド。
【請求項４】
該サムリング交換部に記憶媒体を搭載し、該記憶媒体には該ズームデマンドの制御特性の情報が記憶されていて、該ズームデマンドには該制御特性の情報の読み取り装置および該情報に基づく制御特性設定装置が搭載され、該サムリング交換部を該ズームデマンドに装着した際に該記憶媒体に記憶されている情報に基づいてズームデマンドの制御特性の設定が行えることを特徴とする請求項３に記載のズームデマンド。
【請求項５】
該ズームデマンドが該記憶媒体に情報を書き込むための書込み装置を持ち、該サムリング交換部を該ズームデマンド装着時に、該ズームデマンド側で設定した制御特性情報を、該記憶媒体に書き込むことができることを特徴とする請求項４に記載のズームデマンド。
【発明の詳細な説明】
【技術分野】
【０００１】
本発明は、ＴＶカメラの撮影レンズのズーム操作を手元で行えるズームデマンドに関する。
【背景技術】
【０００２】
図１０に従来のズームデマンドの構造を示す。ズームデマンドは、撮影者が保持するためのグリップ部２９と、中点復帰機構により中点位置を安定位置となるように弾性的に指示され、撮影者がグリップする手の親指を係合する凹部を持つサムリング３０と、該サムリングの回転角度を検出する角度検出器３１を有する。
【０００３】
該角度検出器によって取得された出力信号は、制御基盤３２において該ズームデマンドのサーボ指令信号に変換さる。この変換時の特性は、該ズームデマンドに搭載されている特性カーブ切替えスイッチ３４や、ズームスピード調整ボリューム３３等によって設定される。変換された該サーボ指令信号はコネクタ３５に接続されるケーブルを介してテレビレンズに送信され、これによって、テレビレンズのズーム操作を行っている（例えば、特許文献１参照）。
【０００４】
ズームデマンドを使用してテレビレンズのズーム制御を行う際、最適な制御特性は撮影者および撮影状況ごとに異なる。そこで、撮影状況に応じた複数のレンズ制御情報が記憶された外部記憶媒体を撮影者ごとに交換し、該記憶媒体から情報を読み取る読取手段、前記読取手段により読み取った情報に基づいてレンズ駆動制御手段の制御特性を設定する設定手段によって、撮影レンズのズーム制御等の制御特性を撮影状況に応じて自由に変更できるようにした例がある（例えば、特許文献２参照）。
【特許文献１】特開平０８−３３４６７３号公報
【特許文献２】特開平１０−２８２４００号公報
【発明の開示】
【発明が解決しようとする課題】
【０００５】
該ズームデマンドにおいて、操作上適切となる該サムリング形状は、撮影者の該ズームデマンドを保持する方法や、撮影者の手指の大きさ、サムリングの操作の仕方などによって撮影者ごとに異なる。このため、該ズームデマンドの操作性を向上させるためには、撮影者ごとに該サムリングの形状を操作上最適となるように変更することが望ましい。しかし従来の構造では、該サムリングはグリップをサムリング内径に挿入し、デマンド内部の角度検出系に接続される回転子に直接固定されている。そのため、該サムリング形状を変更するためには、該ズームデマンドのグリップ部を分解した上で交換しなければならない。グリップ部の分解を含むサムリングの交換は、ユーザーが容易に行える作業ではないため、ユーザーごとにサムリングを交換することはできず、操作上の問題となっている。
【０００６】
また、前述したように該ズームデマンドの制御特性は、撮影状況および撮影者ごとに最適な設定値が異なる。このため、撮影状況が変わらない場合であっても、撮影者が交代する場合には、該ズームデマンドの制御特性の設定を行う必要がある。また、撮影者の設定を簡略化するために外部記憶媒体を用いる方法では、該記憶媒体を読み取るための装置を新たに撮影レンズに設置する必要があり、コストが増加する点と、従来撮影時に使用してない該記憶媒体を操作者ごとに用意する必要がある点が問題となる。
【０００７】
上記を受けて本発明の第一の目的は、該サムリング形状を容易に変更可能とすることで、撮影者ごとに適切な形状のサムリングを提供することを可能とし、該ズームデマンドの操作性を向上させることにある。また第二の目的は、第一の目的に関連して、該サムリング形状を変更した際に、同時に該ズームデマンドの制御特性が容易に設定可能とすることで、該ズームデマンドの制御特性設定作業による負担の軽減を低コストで容易に行えるようにすることである。
【課題を解決するための手段】
【０００８】
第１の発明は撮影者の指によって回転操作されるサムリングを有し、該サムリングの倒れ角を角度検出器により検出してズームスピード制御信号に供するズームデマンドにおいて、該サムリングの形状の一部を変更できるようにしたことを特徴とする。
【０００９】
第２の発明は、第１の発明に関連して、該サムリングの全部あるいは操作時に撮影者の指が接触する部分を含む一部の着脱を可能にし、着脱可能な部分をサムリング交換部として、任意の形状のものと交換することによって該サムリングの形状変更を行うことを特徴とする。
【００１０】
第３の発明は、第２の目的に関連して、該サムリング交換部を該ズームデマンドに装着時に、該サムリング交換部に対応する該ズームデマンドの制御特性を設定できることを特徴とする。
【００１１】
第４の発明は、第３の発明に関連して、該ズームデマンドの制御特性の情報は、該サムリング交換部に搭載された記憶媒体に記憶されており、該ズームデマンドは該制御特性の情報を読み取るための読み取り装置と、該情報に基づく制御特性を設定するための設定装置とを持ち、該ズームデマンドに装着時に該記憶媒体から制御特性の情報を読み出し、この情報に基づいて制御特性を設定する事を特徴とする。
【００１２】
第５の発明は、第４の発明に関連して、該ズームデマンドは該記憶媒体に情報を書き込むための書込み装置を持ち、該サムリング交換部を該ズームデマンド装着時に該ズームデマンドにて設定した制御特性の情報を該サムリング交換部に搭載された該記憶媒体に書き込めることを特徴とする。
【発明の効果】
【００１３】
本発明によれば、まず第１の発明により、サムリング形状の一部が変更できることで撮影者ごとに最適となるサムリング形状を提供することができるようになり、ズームデマンドの操作性が向上する。
【００１４】
また第２の発明によれば、撮影者ごとに撮影上最適となる形状の保持し、撮影時に交換する方法は、形状を変更後再び元の形状に戻す際の再現性に優れ、撮影者が複数のズームデマンドを使用する場合や、撮影者の交代が頻繁に行われる場合などで特に有効となる。
【００１５】
さらに第３の発明により、ズームデマンドの特性の設定が撮影者ごとに異なるサムリング交換部を用いて行えるようになり、撮影者変更によるズームデマンド特性設定の時間の短縮が図れる。
【００１６】
第４の発明により、サムリング交換部に記憶媒体を搭載することによって、より多くの特性データの設定が行えるようになり、該サムリング交換部に複数の操作特性を記憶させ、撮影状況や使用する撮影レンズに応じて複数の設定情報から使用する設定データを選択することが可能となる。また、サムリング交換部に記憶媒体を搭載することによって、従来の外部記憶媒体を利用する方式と比較すると、読み取り装置をズームデマンドに内蔵することによって、読取装置を既存の構成に対して新たに設定する必要がなく、コストが抑制できる。
【００１７】
さらに第５の発明によれば、該サムリング交換部に記憶されている特性データを後から変更することもできるようになり、ズームデマンドで制御するテレビレンズの変更や、撮影状況の変化などにも幅広く対応できる。
【発明を実施するための最良の形態】
【００１８】
以下本発明を実施するための最良の形態を、実施例により詳しく説明する。
【実施例１】
【００１９】
図１及び図２に第１の発明に関する実施例を示す。
【００２０】
図において、サムリングは、該回転子に接続された本体部１と、操作時に撮影者の指が当たる凹部における左右の壁の役目をするツノ部２によって構成される。該本体部には、該ツノ部が取り付けられる位置に円周方向に長穴が空けられている。該ツノ部は該長穴が空けられている範囲でグリップ軸回りの取り付け角度が調整でき、図２（ａ）、図２（ｂ）に示すように凹部の幅を調整することが可能である。
【００２１】
また、サムリング形状の変更方法として他の例を挙げると、該サムリングを、該ズームデマンド使用温度範囲の上限付近の温度よりも高温において変形可能で、且つ該使用温度範囲の上限付近の温度以下の温度では変形した形状を保つ熱可塑性樹脂によって形成し、撮影者が交代する場合には、該サムリングの温度を変形可能になる温度まで上げて、撮影者が操作上最適となる形状に変更する方法がある。
【実施例２】
【００２２】
次に、図３に第２の発明に関するの実施例を示す。
【００２３】
図において、サムリングは撮影者の親指が係合する凹部を含むサムリング交換部５と、角度検出系に接続される軸１０に固定された回転子７に接続されたサムリング固定部６とに分割されて構成される。該サムリング交換部と該サムリング固定部は固定ネジ８によって接続されている。該固定ネジを取り外すことによって、該サムリング交換部は該ズームデマンドから容易に取り外すことが可能となっている。
【００２４】
該サムリング交換部を、図４（ａ）〜図４（ｄ）に示すように、撮影者ごとに対して最適な形状をしたものに交換することによって、ズームデマンドの操作性向上が図れる。サムリング形状の変更は、例えば図４（ａ）から変更する場合、図４（ｂ）のように操作時に撮影者の指が当たる凹部の高さや角度を変更する、図４（ｃ）のように該サムリングが中点位置にあるときに指が当たる部分を回転した位置になるようにする、図４（ｄ）のようにズームデマンドのグリップの軸に対して指が当たる部分を傾ける等、撮影者の要求に対して様々な形状を用意することができる。
【００２５】
該サムリング固定部と該サムリング交換部との接続の例としては、図３で示した固定ネジを使用する方法の他に、例えば図５に示すように、サムリング固定部１５に弾性体１４を設け、該サムリング交換部１３をサムリング固定部に装着時に、該弾性体が弾性力を生じることで接続する方法があげられる。また、図６に示すように、サムリング固定部１６に搭載されたバネ１７によって飛び出すロックピン１８を、サムリング交換部に空けられた孔に挿入する形方法も考えられる。この他、様々な方法が挙げられるが、該サムリング交換部が、該ズームデマンドからの着脱が可能になっていて、かつ接続時にサムリング固定部に対して安定して保持されればどのようにしてもよい。
【００２６】
また、図７のように先ほどサムリング固定部とした回転子に接続される部分１９を含めて、サムリング全体を変更してもよい。
【実施例３】
【００２７】
次に図８に第３の発明に関する実施例を示す。
【００２８】
図において該サムリング固定部２１に、複数の接点２０が配置されている。一方サムリング交換部２３には該接点のうちいくつかを短絡するための導電体２２が用意されている。ここで、該ズームデマンドには、予めズーム特性の異なる数通りの制御特性が設定しておく。該サムリング交換部を装着した際に、該接点のうち該導電体によって短絡されるものの組合せによって、予めズームデマンドに設定されている制御特性のうちのいずれかを選択でき、これに基づいて制御特性が変更されるようになっている。
【００２９】
また、該ズームデマンドでは、該サムリング交換部に設定されている制御特性の有効にするか無効にするかが切り替えられるようになっており、無効にした場合には、従来のズームデマンドと同様に、ズームデマンドに搭載されている各種スイッチ等で設定される制御特性を利用する。
【実施例４】
【００３０】
次に第４、第５の発明の実施例を図９に示し、まず第４の発明について説明する。
【００３１】
図において、該サムリング交換部２６は、該ズームデマンドの制御特性の情報を記憶された記憶媒体２４と、該記憶媒体に接続されるコネクタ部２７を持つ。また、該ズームデマンドには、該記憶媒体の情報を読み取るための読取装置および読み取った情報に基づき制御特性を設定するための設定装置が搭載されている。該サムリング交換部をサムリング固定部２５に装着時に、該サムリング固定部のコネクタ２８と該サムリング交換部側のコネクタが接続される。該ズームデマンドが該記憶媒体に記憶されている制御特性の設定データを読取装置によって読み取り、該設定装置によってズームデマンドの制御特性を設定できるようになる。
【００３２】
さらに、該記憶媒体には、撮影レンズおよび撮影状況に応じた複数異なる制御特性の情報を入力しておくことができる。該ズームデマンドに、読み取った複数の制御特性のうちいずれかを選択するための選択装置を設けることにより、複数の制御特性のうち、撮影状況や使用するテレビレンズに応じた制御特性を選択することができる。
【００３３】
さらに、第５の発明においては、該ズームデマンドに該記憶媒体へ情報を書き込むための書込装置を搭載する。該書込装置を用いて、該ズームデマンドに搭載されている各種スイッチやボリュームによって設定した制御特性を該記憶媒体に書き込むことができる。これにより、ズームデマンドで制御するテレビレンズの変更や、撮影状況の変化などにも幅広く対応できる。
【図面の簡単な説明】
【００３４】
【図１】実施例１を表した概略図であり、（ａ）がサムリング断面図、（ｂ）がツノ部の斜視図である。
【図２】実施例１において、ツノ部の取付角度を変更した例を表す概略図である。
【図３】実施例２を表した概略図であり、（ａ）が側面図、（ｂ）がサムリング部分の断面図である
【図４】実施例２において、サムリング交換部を交換した例を示す概略図である。
【図５】実施例２において、サムリング交換部とサムリング固定部との接続方法を、弾性部材を用いて行う方法を示した概略図であり、（ａ）が側面図、（ｂ）がサムリング部の断面図である。
【図６】実施例２において、サムリング交換部とサムリング固定部との接続方法を、サムリング固定部に設けられたロックピンを用いた場合を示す概略図であり、（ａ）が側面図、（ｂ）がサムリング部の断面図である。
【図７】実施例２において、サムリング全体を交換した例を示す概略図である。
【図８】実施例３の実施例を示す概略図である。
【図９】実施例４の実施例を示す概略図である。
【図１０】従来のズームデマンドの構造を示す概略図であり、（ａ）が横断面図、（ｂ）がサムリング部の断面図である。
【符号の説明】
【００３５】
１、３  サムリング
２、４  ツノ
５、１１、１１ａ、１１ｂ、１１ｃ、１３、１９、２３、２６  サムリング交換部
６、１２、１５、１６、２１、２５  サムリング固定部
７      回転子
８      固定ネジ
１４    弾性体
１８    ロックピン
２０    端子
２２    導電体
２４    記憶媒体
３０    サムリング
【図１】
2006322980.tif 000003
【図２】
2006322980.tif 000004
【図３】
2006322980.tif 000005
【図４】
2006322980.tif 000006
【図５】
2006322980.tif 000007
【図６】
2006322980.tif 000008
【図７】
2006322980.tif 000009
【図８】
2006322980.tif 000010
【図９】
2006322980.tif 000011
【図１０】
2006322980.tif 000012